(57)【要約】    【課題】標示板をむらなく均一に、かつ、効率よく照らすことができる内照式表示層を提供する。    【解決手段】半透光性の標示板１と、光源３と、光源３が発した光を標示板１に向ける反射板４を設ける。光源３を標示板１の周縁部における背面側の空間に複数箇所に分散して配置する。反射板４を光拡散性を有するものとして、標示板１の背面側の空間に設ける。反射板４の反射面をその中央部が正面側に突出して外縁部が背面側に後退する傾斜面とする。光源３が発する光の大部分は、直接に標示板１に向かうことなく、反射板４で拡散反射されてから標示板１に向かう。標示板１を効率よく、むらなく均一に照らすことができる。【選択図】  図２
2006097310.tif 000002
【特許請求の範囲】
【請求項１】
半透光性の標示板と、該標示板に背面側から照射する光を発する光源と、前記標示板の背面側の空間に設けられて前記光源からの光を拡散しつつ前記標示板に向けて反射する光拡散性を有する反射板とを備え、
前記光源は、標示板の周縁部における背面側の空間に複数箇所に分散して配置され、
前記反射板の反射面は、その中央部が正面側に突出して外縁部が背面側に後退する傾斜面とされたことを特徴とする内照式標示装置。
【請求項２】
前記光源は、発光ダイオードとされたことを特徴とする請求項１に記載の内照式標示装置。
【請求項３】
前記標示板が略円形とされ、前記反射板が略円錐形とされたことを特徴とする請求項１又は２に記載の内照式標示装置。
【発明の詳細な説明】
【技術分野】
【０００１】
本発明は、灯火式規制・指示標識などとして使用される内照式標識や内照式看板のような内照式標示装置に関するものである。
【背景技術】
【０００２】
一般に、灯火式規制・指示標識などに使用される内照式標識や内照式看板のような内照式標示装置は、半透光性の標示板の背面側の空間に光源を配置し、この光源が発する光を標示板に照射することにより、標示面を明るくしてその視認性を高めるようにしている（例えば特許文献１）。
【０００３】
図３に特許文献１の内照式標識板の要部断面図を示す。この内照式標識板は、箱体１０１の正面の開口を塞ぐように標示板１０２（表示部）を設けて、箱体１０１の内部に、バックライト用の光源１０３（冷陰極管）を配置したものである。
【０００４】
光源１０３の背面側には、光源１０３からの光を標示板１０２の方向に反射させる反射板１０４（反射体）が設けられ、光源１０３の発した光が直接、あるいは反射板１０４で反射されて標示板１０２に向かうようになっている。反射板１０４は、その中央部が背面側に凹んだ凹面鏡などからなり、光源１０３が発する光を効率よく標示板１０２に向けるようになっている。
【０００５】
光源１０３の正面側には、拡散シートやパンチング板などからなる拡散板１０５が設けられ、光源１０３が発する光を拡散させて標示板１０２をむらなく均一に照らすと共に、光源１０３の輪郭が目立って光ることを防止している。
【特許文献１】特開平１０−２８０３３８号公報（段落番号０００８、０００９、００１６、図２）
【発明の開示】
【発明が解決しようとする課題】
【０００６】
ところが、特許文献１の内照式標示装置は、標示板をむらなく均一に照らすと共に光源の輪郭を見えにくくするための拡散板を設けているため、この拡散板によって光が吸収されやすく、その分、標示板を照らす効率が悪くなるおそれがある。
【０００７】
本発明は、標示板をむらなく均一に、かつ、効率よく照らすことができる内照式標示装置を提供することを目的とする。
【課題を解決するための手段】
【０００８】
上記目的を達成するために、本発明が提供する内照式標示装置は、半透光性の標示板と、この標示板に背面側から照射する光を発する光源と、標示板の背面側の空間に設けられて光源からの光を拡散しつつ標示板に向けて反射する光拡散性を有する反射板とを備えたものであり、光源を標示板の周縁部における背面側の空間に複数箇所に分散して配置し、反射板の反射面をその中央部が正面側に突出して外縁部が背面側に後退する傾斜面としたものである。
【０００９】
この構成によれば、光源を標示板の周縁部における背面側の空間に配置するので、光源が発する光の大部分は、直接に標示板に向かうことなく、反射板で拡散されつつ反射されて標示板に向かうようになる。これにより、別の部材の拡散板を設けることなく、光源の輪郭を目立たないようにすることができるので、光源を複数箇所に分散して配置することと相まって、標示板をむらなく均一に照らすと共に、光が拡散板で吸収されない分、効率よく標示板を照らすことができる。
【００１０】
従来より用いられている凹形の反射板を採用する場合には、その周囲に配置された光源からの光は反射板の背面（裏面）に当たることになり、標示板に向かわせることができないが、反射板の反射面をその中央部が正面側に突出する形状とするので、その周囲を取り囲むように配置された光源からの光を正面側の標示板に向かわせることができる。
【００１１】
光源は、蛍光灯などどのようなものであってもよいが、光源として発光ダイオードを採用すれば、各々の光源を小型化することができるので、光源の配置スペースを狭くすることができると共に、標示板の周縁部にまんべんなく配置することができ、標示板をより均一に照らすことができる。
【００１２】
標示板の形状は長方形などあらゆる形状のものを採用することができるが、標示板を略円形として、反射板を略円錐形とすれば、本発明の好適な態様を提供することができる。つまり、略円形の標示板および略円錐形の反射板は、その中心についての点対称形であり、標示板の明るさを全方向について均一にしやすい。なお、長方形などの多角形の標示板を採用する場合には、反射板を略角錐にすればよい。
【発明の効果】
【００１３】
以上のとおり、本発明によると、光源を標示板の周縁部における背面側の空間の複数箇所に分散して配置するので、光源の発する光の大部分は、標示板に直接に向かうことなく、反射板で拡散されつつ反射されてから標示板に向かうようになる。これにより、標示板をむらなく均一に、かつ、効率よく照らすことができるので、標示板の視認性を高めると共に、光源の省エネルギー化を図ることができる。
【発明を実施するための最良の形態】
【００１４】
以下、本発明に係る内照式標示装置を実施するための最良の形態について、図面を用いて説明する。図１は本発明の内照式標示装置としての道路標識を示す図であり、（ａ）は正面図、（ｂ）は背面図、（ｃ）は側面図、（ｄ）はＡ−Ａ断面図である。図２は図１に示す道路標識の要部断面図である。
【００１５】
この道路標識は、標示内容を付された半透光性の標示板１に背面側から光を照射してその視認性を高めたものであり、例えばアクリル製で円形の標示板１と、標示板１を保持する円形の箱体２と、標示板１に背面側から照射する光を発する光源３と、光源３の発した光を標示板１に向けて反射する反射板４とを備えている。
【００１６】
箱体２は、アルミニウムなどの金属や合成樹脂などからなり、その正面側に設けられた開口部を塞ぐように、標示板１が装着される。箱体２の開口部には、断面略Ｌ字形で全体としてロ字形を構成する標示板取付枠５が外嵌され、この標示板取付枠５により、標示板１を箱体２の開口部に留めるようになっている。
【００１７】
光源３は、複数のＬＥＤ３ａ（高輝度白色発光ダイオード）をユニット化してなり、箱体２の内側面の前後方向における中央付近、かつ周方向における複数箇所に一定間隔で分散配置されている。これにより、光源３は、標示板１の周縁部の背面側の空間に位置し、その一部が標示板取付枠５に隠れるようになっている。
【００１８】
反射板４は、中央が正面側に突出する円錐形とされ、その正面側の面が反射面とされる。この反射板４は、前後方向において外縁部が光源３よりもわずかに背面側に位置するよう箱体２の中央部に収納され、これにより、標示板１の背面側の空間に反射板４が設けられる。
【００１９】
反射板４の反射面は、中央部が正面側に突出して外縁部が背面側に後退する傾斜面とされ、光源３から中央に向けて発せられた光を受けるようになっている。この反射面は、光拡散性を有するものとされ、側方の光源３から受けた光を拡散しつつ反射して、正面側に位置する標示板１の広範囲の領域に光を向けるようになっている。
【００２０】
光拡散性を有する反射板は、内照式標示装置や照明器具の反射板として一般に用いられるものであり、反射面に微細な凹凸を形成したものや、反射層としての金属層に拡散層としての樹脂フィルム層を積層したものなど、あらゆるものを採用することができる。金属層に樹脂フィルム層を積層したものとして、例えば三菱樹脂社製のヒシメタル（登録商標）を例示できる。
【００２１】
なお、反射板の傾斜角や前後方向の位置、光源の前後方向の位置などは、標示板１の寸法などによって異なるため、製品ごとに実験をして最適な値に設定すればよい。図１において、６は標識取付用型材、７は電源部、８は入線用ボックスコネクタ、９は反射板４の支持金具である。
【００２２】
次に、光源の発する光が標示板を照らす様子を説明する。図２に示すように、光源３が発した光１０は、反射板４に向かって進み、その反射面で拡散されつつ反射される。拡散反射された光１１は標示板１に向かい、その一部の光１２が標示板１を背面側から正面側に透過し、残りの光１３が標示板１の背面で反射されて反射板４に向かう。光１３は、再び反射板４で拡散反射されて、標示板１に向かう光１４となる。この拡散反射が繰り返されて標示板１が均一かつ効率的に照らされる。なお、反射された光の一部は箱体２の内面を経由して標示板１又は反射板４に向かう。
【００２３】
上記構成によれば、複数のＬＥＤ３ａをユニット化して構成した光源３を箱体２の内側面に分散配置し、その光源３からの光を反射板４で拡散反射してから標示板１に向かわせるので、標示板１に光源３の輪郭が映るなどの明るさのむらをなくすことができる。しかも、標示板１に達した光の一部のみが透過し、残りの光は再度反射して拡散されるので、標示板１を照らす光をより一層均一にすることができる。また、箱体２の内部に光を吸収する部材を極力少なくしているので、標示板１を効率よく照らすことができる。
【００２４】
なお、本発明は、上記の実施に形態に限定されるものではなく、本発明の範囲内において、適宜変更を加えることができる。例えば、本発明の内照式標示装置は、道路標識に限らず、他の灯火式規制・指示標識などの内照式標識や内照式看板として使用してもよい。標示板１および箱体２は円形に限らず、長方形や他の多角形などどのようなものでもよく、この場合、反射板４の形状として角錐形を採用すればよい。光源３は、ＬＥＤ３ａから構成するものだけでなく、蛍光灯などあらゆるものを採用することができる。
【図面の簡単な説明】
【００２５】
【図１】本発明の内照式標示装置としての道路標識を示す図
【図２】図１に示す道路標識の要部断面図
【図３】従来の内照式標示装置の断面図
【符号の説明】
【００２６】
１    標示板
３    光源
４    反射板
【図１】
2006097310.tif 000003
【図２】
2006097310.tif 000004
【図３】
2006097310.tif 000005